(57)【要約】【課題】外壁の美観を損ねることがなく、取り付けた後に外壁の表面仕上げが不要な袖壁付庇を提供する。【解決手段】建物の外壁７０における窓枠７２の上方に配置され外壁７０から外方向に張出す庇２０と、外壁７０における窓枠７２の側方に配置され外壁７０から外方向に張出す袖壁３０と、庇２０を外壁７０に固定する庇固定手段と、袖壁３０を外壁７０に固定する袖壁固定手段と、庇２０の外壁７０側の面に形成された庇凹部と、袖壁３０の外壁７０側の面に形成された袖壁凹部と、を備え、庇固定手段および袖壁固定手段は、庇凹部および袖壁凹部のうち少なくとも一方の内側に配置されていることを特徴とする。【選択図】図１
2011074576.tif 000002
【特許請求の範囲】
【請求項１】
建物の外壁における窓枠の上方に配置され前記外壁から外方向に張出す庇と、
前記外壁における前記窓枠の側方に配置され前記外壁から外方向に張出す袖壁と、
前記庇を前記外壁に固定する庇固定手段と、
前記袖壁を前記外壁に固定する袖壁固定手段と、
前記庇の前記外壁側の面に形成された庇凹部と、
前記袖壁の前記外壁側の面に形成された袖壁凹部と、
を備え、
前記庇固定手段および前記袖壁固定手段は、前記庇凹部および前記袖壁凹部のうち少なくとも一方の内側に配置されていることを特徴とする袖壁付庇。
【請求項２】
前記庇固定手段は、
前記窓枠の上方において前記外壁に固定された庇外壁金具と、
前記庇の前記外壁側に固定され前記庇外壁金具に接続される庇金具と、
を備え、  
前記袖壁固定手段は、
前記窓枠の側方の下方において前記外壁に固定された第１係合金具と、
前記袖壁の前記外壁側の下方に固定された、前記第１係合金具と係合される第２係合金具と、
前記袖壁の前記外壁と接する面に沿って前記袖壁から上方に延設され、前記外壁に固定される袖壁金具と、
を備え、
前記庇金具および前記庇外壁金具は、前記庇凹部の内側に配置され、
前記第１係合金具および前記第２係合金具は、前記袖壁凹部の内側に配置され、
前記袖壁金具は、前記庇凹部の内側に配置されていることを特徴とする請求項１に記載の袖壁付庇。
【請求項３】
前記庇と前記袖壁との当接面における張出し方向の先端側に、前記庇と前記袖壁との相対移動を規制する規制手段を備えていることを特徴とする請求項２に記載の袖壁付庇。
【請求項４】
前記規制手段は、前記庇に形成された孔部および突起部のうちいずれか一方と、前記袖壁に形成された前記孔部および前記突起部のうちいずれか他方とを、嵌合させるものであることを特徴とする請求項３に記載の袖壁付庇。
【請求項５】
前記規制手段は、前記庇に固定された第３係合金具と、前記袖壁に固定された第４係合金具とを係合させることにより、前記庇と前記袖壁とが前記当接面と平行方向に相対移動するのを規制するとともに、前記庇と前記袖壁とが前記当接面と垂直方向に相対移動するのを規制するものであることを特徴とする請求項３に記載の袖壁付庇。
【請求項６】
前記第３係合金具として前記第１係合金具および前記第２係合金具のうちいずれか一方が使用され、前記第４係合金具として前記第１係合金具および前記第２係合金具のうちいずれか他方が使用されることを特徴とする請求項５に記載の袖壁付庇。
【請求項７】
前記庇金具は、上下方向に離間配置された庇金具第１接続部および庇金具第２接続部を備え、
前記庇外壁金具は、前記庇金具第１接続部および前記庇金具第２接続部にそれぞれ当接する庇外壁金具第１接続部および庇外壁金具第２接続部を備え、
前記庇金具第１接続部および前記庇金具第２接続部ならびに前記庇外壁金具第１接続部および前記庇外壁金具第２接続部に形成された上下方向を中心軸方向とする貫通孔に、１本のボルトが挿通されて、前記庇金具第１接続部および前記庇金具第２接続部と前記庇外壁金具第１接続部および前記庇外壁金具第２接続部とが接続されていることを特徴とする請求項２から６のいずれか１項に記載の袖壁付庇。
【請求項８】
請求項２に記載の袖壁付庇の設置方法であって、
前記窓枠の上方において前記外壁に前記庇外壁金具を固定し、前記窓枠の側方の下方において前記外壁に前記第１係合金具を固定する外壁金具取付工程と、
前記袖壁を前記外壁における前記窓枠の側方に配置する袖壁配置工程と、
前記庇を前記外壁における前記窓枠の上方に配置する庇配置工程と、
を備え、
前記袖壁配置工程は、
前記袖壁凹部の内側に配置された前記第２係合金具と前記第１係合金具とを係合して、前記第１係合金具を前記袖壁凹部の内側に配置する袖壁係合工程と、
前記袖壁金具を前記外壁に固定する袖壁固定工程と、
を有し、
前記庇配置工程では、前記庇凹部の内側に配置された前記庇金具と前記庇外壁金具とを接続して、前記庇外壁金具を前記庇凹部の内側に配置するとともに、前記袖壁金具を前記庇凹部の内側に配置する、
ことを特徴とする袖壁付庇の設置方法。
【発明の詳細な説明】
【技術分野】
【０００１】
この発明は袖壁付庇に関するものである。
【背景技術】
【０００２】
建物において、窓から入り込む日射を遮蔽するために、非特許文献１に示すような袖壁付庇が用いられる。
この袖壁付庇は、通常、建物の窓枠周辺の外壁に取り付けられる。袖壁付庇を建物の窓枠周辺の外壁に取り付ける一般的な構造としては、取付金具を袖壁付庇に配置し、その取付金具を外壁に固定することにより袖壁付庇を外壁に固定する構造が知られている。具体的には、外壁の金具取付部の強度確保のため、あらかじめ外壁の内部に木材や金属等の支持部材を配置しておく。そして、例えば断面形状がＬ字状の取付金具を複数個用意し、Ｌ字状の取付金具の一方片を庇の上面および下面の外壁側ならびに袖壁の側面の外壁側にタッピングねじ等で固定する。その後、Ｌ字状の取付金具の他方片を、タッピングねじ等で外壁内部の支持部材に固定することにより、袖壁付庇を取り付ける。袖壁付庇を取り付けた後に、取付部材付近からの雨水の浸入を防止するため、取付部材の周辺にコーキング材を充填し、または防水シートを配置する。
このとき、上述の袖壁付庇の一般的な取付構造では、タッピングねじや取付金具等の取付部材が外壁の表面に露出し、外壁の美観を損ねる虞がある。そこで、取付部材が外壁の表面側に露出して外壁の美観を損なうことがないように、外壁の表面仕上げを行う。具体的には、取付部材をモルタル等で埋設し、または取付部材の上から化粧板材を取り付けることにより外壁の表面仕上げを行う。
【先行技術文献】
【非特許文献】
【０００３】
【非特許文献１】「建築雑誌」日本建築学会、１９９６年１２月号、Ｖｏｌ．１１１、Ｎｏ．１３９８、ｐ．４２
【発明の概要】
【発明が解決しようとする課題】
【０００４】
しかし、上述の表面仕上げを行う方法では、モルタルの塗布や化粧板材の取り付けなどを行うので、袖壁付庇の取り付けに多大な工数を要する。さらに、建物内への雨水の浸入が、コーキング材や防水シート等の防水機能の劣化に起因すると考えられる場合には、前述のモルタルや化粧板材等による表面仕上げ部分を破壊して取付部材を露出させた上で、コーキング材や防水シート等の防水機能を確認する必要がある。そして、コーキング材や防水シート等の防水機能を確認し、必要に応じて修理した後に再度外壁の表面仕上げを行うので、確認および修理作業が複雑であり多大な工数を要する。
そこで本発明は、外壁の美観を損ねることがなく、取り付けた後に外壁の表面仕上げが不要な袖壁付庇の提供を課題とする。
【課題を解決するための手段】
【０００５】
上記の課題を解決するため、本発明の袖壁付庇は、建物の外壁における窓枠の上方に配置され前記外壁から外方向に張出す庇と、前記外壁における前記窓枠の側方に配置され前記外壁から外方向に張出す袖壁と、前記庇を前記外壁に固定する庇固定手段と、前記袖壁を前記外壁に固定する袖壁固定手段と、前記庇の前記外壁側の面に形成された庇凹部と、  前記袖壁の前記外壁側の面に形成された袖壁凹部と、を備え、前記庇固定手段および前記袖壁固定手段は、前記庇凹部および前記袖壁凹部のうち少なくとも一方の内側に配置されていることを特徴とする。
本発明によれば、庇固定手段および袖壁固定手段は、庇凹部および袖壁凹部のうち少なくとも一方の内側に配置されている。これにより、庇固定手段および袖壁固定手段は外壁表面に露出しないので、外壁の美観を損ねることがなく、袖壁付庇を取り付けた後に外壁の表面仕上げが不要となる。これに伴って、モルタルや化粧板材等による表面仕上げ部分を破壊することなく、外観目視により防水機能の確認ができる。したがって、防水機能の確認および修理作業が容易にできる。
【０００６】
また、本発明の袖壁付庇は、前記庇固定手段は、前記窓枠の上方において前記外壁に固定された庇外壁金具と、前記庇の前記外壁側に固定され前記庇外壁金具に接続される庇金具と、を備え、前記袖壁固定手段は、前記窓枠の側方の下方において前記外壁に固定された第１係合金具と、前記袖壁の前記外壁側の下方に固定された、前記第１係合金具と係合される第２係合金具と、前記袖壁の前記外壁と接する面に沿って前記袖壁から上方に延設され、前記外壁に固定される袖壁金具と、を備え、前記庇金具および前記庇外壁金具は、前記庇凹部の内側に配置され、前記第１係合金具および前記第２係合金具は、前記袖壁凹部の内側に配置され、前記袖壁金具は、前記庇凹部の内側に配置されていることを特徴とする。
本発明によれば、庇金具および庇外壁金具は、庇凹部の内側に配置され、第１係合金具および第２係合金具は、袖壁凹部の内側に配置され、袖壁金具は、庇凹部の内側に配置されている。これにより、庇固定手段および袖壁固定手段は外壁表面に露出しないので、外壁の美観を損ねることがなく、袖壁付庇を取り付けた後に外壁の表面仕上げが不要となる。また、袖壁の上方に袖壁金具を延設して外壁に固定するので、袖壁を強固に固定することができる。さらに、その袖壁金具を庇凹部の内側に配置するので、外壁の美観を損ねることがなく、外壁の表面仕上げも不要となる。
【０００７】
また、本発明の袖壁付庇は、前記庇と前記袖壁との当接面における張出し方向の先端側に、前記庇と前記袖壁との相対移動を規制する規制手段を備えていることを特徴とする。
本発明によれば、庇と袖壁との相対移動を規制する規制手段を備えているので、風等の影響によって庇および袖壁のいずれか一方に大きなが荷重がかかった場合でも、庇固定手段および袖壁固定手段のいずれか一方に荷重が集中するのを回避し、庇固定手段および袖壁固定手段の両方に荷重を分散することができる。これにより、風等のあおりに対する強度を効果的に確保できる。
【０００８】
また、本発明の袖壁付庇は、前記規制手段は、前記庇に形成された孔部および突起部のうちいずれか一方と、前記袖壁に形成された前記孔部および前記突起部のうちいずれか他方とを、嵌合させるものであることを特徴とする。
本発明によれば、庇側に孔部および突起部のいずれか一方が形成されており、袖壁には孔部および突起部のいずれか他方が形成されている。そして、孔部と突起部とを嵌合させることにより、庇と袖壁との当接面の平行方向に袖壁が相対移動するのを規制する。これにより、風等の影響により袖壁に対して前記当接面と平行方向に荷重がかかっても、袖壁固定手段に荷重が集中するのを回避し、庇固定手段および袖壁固定手段の両方に荷重を分散することができる。したがって、当接面の平行方向における風等のあおりに対する強度を効果的に確保できる。また、孔部および突起部のうちいずれか一方は庇と一体成型され、他方は袖壁と一体成型されるので、庇と袖壁とを係合する金具を必要としない。これにより、部品費を抑えた低コストな袖壁付庇を提供することができる。
【０００９】
また、本発明の袖壁付庇は、前記規制手段は、前記庇に固定された第３係合金具と、前記袖壁に固定された第４係合金具とを係合させることにより、前記庇と前記袖壁とが前記当接面と平行方向に相対移動するのを規制するとともに、前記庇と前記袖壁とが前記当接面と垂直方向に相対移動するのを規制するものであることを特徴とする。
本発明によれば、庇に固定された第３係合金具と袖壁に固定された第４係合金具とを係合させることにより、庇と袖壁とが当接面と平行方向に相対移動するのを規制するとともに、庇と袖壁とが当接面と垂直方向に相対移動するのを規制する。これにより、風等の影響によって庇および袖壁のいずれか一方に大きなが荷重がかかった場合でも、庇固定手段および袖壁固定手段のいずれか一方に荷重が集中するのを回避し、庇固定手段および袖壁固定手段の両方に荷重を分散することができる。したがって、風等のあおりに対する強度を効果的に確保できる。
【００１０】
また、本発明の袖壁付庇は、前記第３係合金具として前記第１係合金具および前記第２係合金具のうちいずれか一方が使用され、前記第４係合金具として前記第１係合金具および前記第２係合金具のうちいずれか他方が使用されることを特徴とする。
本発明によれば、第３係合金具として第１係合金具および第２係合金具のうちいずれか一方が使用され、第４係合金具として第１係合金具および第２係合金具のうちいずれか他方が使用されるので、袖壁付庇の部品の共用化ができる。したがって、低コストな袖壁付庇を提供することができる。
【００１１】
また、本発明の袖壁付庇は、前記庇金具は、上下方向に離間配置された庇金具第１接続部および庇金具第２接続部を備え、前記庇外壁金具は、前記庇金具第１接続部および前記庇金具第２接続部にそれぞれ当接する庇外壁金具第１接続部および庇外壁金具第２接続部を備え、前記庇金具第１接続部および前記庇金具第２接続部ならびに前記庇外壁金具第１接続部および前記庇外壁金具第２接続部に形成された上下方向を中心軸方向とする貫通孔に、１本のボルトが挿通されて、前記庇金具第１接続部および前記庇金具第２接続部と前記庇外壁金具第１接続部および前記庇外壁金具第２接続部とが接続されていることを特徴とする。
庇金具と庇外壁金具とを上下方向につき１箇所のみで固定する場合、庇が下方向からの風等のあおりを受けると、庇金具および庇外壁金具の強度を十分確保できない虞がある。本発明によれば、上下方向に離間配置された前記庇金具第１接続部および前記庇金具第２接続部と前記庇外壁金具第１接続部および前記庇外壁金具第２接続部とを接続している。これにより、庇金具と庇外壁金具とが上下方向で強固に固定されるので、１箇所のみで固定する場合と比較して、風等のあおりに対する強度を効果的に確保できる。また、１本のボルトを挿通して固定するので、複数本のボルトで固定する場合と比較して低コストな袖壁付庇を提供することができる。
【００１２】
また、本発明の袖壁付庇の設置方法は、前記窓枠の上方において前記外壁に前記庇外壁金具を固定し、前記窓枠の側方の下方において前記外壁に前記第１係合金具を固定する外壁金具取付工程と、前記袖壁を前記外壁における前記窓枠の側方に配置する袖壁配置工程と、前記庇を前記外壁における前記窓枠の上方に配置する庇配置工程と、を備え、前記袖壁配置工程は、前記袖壁凹部の内側に配置された前記第２係合金具と前記第１係合金具とを係合して、前記第１係合金具を前記袖壁凹部の内側に配置する袖壁係合工程と、前記袖壁金具を前記外壁に固定する袖壁固定工程と、を有し、前記庇配置工程では、前記庇凹部の内側に配置された前記庇金具と前記庇外壁金具とを接続して、前記庇外壁金具を前記庇凹部の内側に配置するとともに、前記袖壁金具を前記庇凹部の内側に配置する、ことを特徴とする。
本発明によれば、袖壁凹部の内側に配置された第２係合金具と第１係合金具とを係合する袖壁係合工程を備えているので、第１係合金具を第２係合金具とともに袖壁凹部の内側に配置することができる。また、庇凹部の内側に配置された庇金具と庇外壁金具とを接続する庇配置工程を備えているので、庇外壁金具を庇金具とともに庇凹部の内側に配置することができる。これにより、庇固定手段および袖壁固定手段は外壁表面に露出しないので、外壁の美観を損ねることがなく、袖壁付庇を取り付けた後に外壁の表面仕上げが不要となる。また、袖壁の上方に袖壁金具を延設して外壁に固定するので、袖壁を強固に固定することができる。さらに、その袖壁金具を庇凹部の内側に配置するので、外壁の美観を損ねることがなく、外壁の表面仕上げも不要となる。
【発明の効果】
【００１３】
本発明によれば、庇固定手段および袖壁固定手段は外壁表面に露出しないので、外壁の美観を損ねることがなく、袖壁付庇を取り付けた後に外壁の表面仕上げが不要となる。
【図面の簡単な説明】
【００１４】
【図１】袖壁付庇の斜視図である。
【図２】図１のＡ−Ａ線における断面図である。
【図３】図１のＢ−Ｂ線における断面図である。
【図４】庇外壁金具が外壁に固定された状態の説明図であり、図４（ａ）は正面図であり、図４（ｂ）は図４（ａ）のＣ−Ｃ線における断面図である。
【図５】庇金具が庇に固定された状態の説明図であり、図５（ａ）は背面図であり、図５（ｂ）は図５（ａ）のＤ−Ｄ線における断面図である。
【図６】第１係合金具および第２係合金具の説明図であり、図６（ａ）は第２係合金具が袖壁に固定された状態の袖壁の背面図であり、図６（ｂ）は図６（ａ）のＥ−Ｅ線における断面図である。
【図７】規制手段の説明図であり、図７（ａ）は孔部と突起部による規制手段の説明図であり、図７（ｂ）は係合金具による規制手段の説明図である。
【図８】袖壁付庇の設置工程のフローチャートである。
【図９】外壁金具取付工程の工程図である。
【図１０】袖壁配置工程の工程図である。
【図１１】庇配置工程の工程図である。
【発明を実施するための形態】
【００１５】
以下、本発明の実施形態につき図面を参照して説明する。
（第１実施形態、袖壁付庇）
最初に、第１実施形態における袖壁付庇について説明する。
図１は袖壁付庇の斜視図である。
図１に示すように、袖壁付庇１０は窓枠７２周辺の外壁７０に取り付けられる。庇２０は窓枠７２の上方に配置され、袖壁３０は窓枠７２の側方の片側または両側に（本実施形態では片側のみに）配置される。例えば、建物の南側における窓枠７２周辺に袖壁付庇１０を取り付けた場合において、袖壁付庇１０の袖壁３０を窓枠７２の西側に設けると西日の直射日光を遮断し、袖壁３０を窓枠７２の東側に設けると朝日の直射日光を遮断する。また、庇２０は、日中の入射角の大きい直射日光を遮断するほか、雨や雪等の侵入を防ぐ。
なお、袖壁付庇１０は、嵌め殺し窓や引き違い窓、縦すべり出し窓、上げ下げ窓、ルーバー窓、内倒し窓、横すべり窓等の様々な窓との組み合わせが可能である。さらに、窓を開けた場合でも、袖壁３０により他者の視線を遮るとともに快適な通風を確保できるものである。
本実施形態の袖壁付庇１０は、建物の外壁７０における窓枠７２の上方に配置され外壁７０から外方向に張出す庇２０と、外壁７０における窓枠７２の側方に配置され外壁７０から外方向に張出す袖壁３０と、庇２０を外壁７０に固定する庇固定手段と、袖壁３０を外壁７０に固定する袖壁固定手段と、庇２０の外壁７０側の面に形成された庇凹部と、袖壁３０の外壁７０側の面に形成された袖壁凹部と、を備え、庇固定手段および袖壁固定手段は、庇凹部および袖壁凹部のうち少なくとも一方の内側に配置されている。
【００１６】
図２は図１のＡ−Ａ線における断面図である。
本実施形態の袖壁付庇１０は、図２に示すように、建物の外壁７０における窓枠７２の上方に配置され外壁７０から外方向に張出す庇２０を備えている。
庇２０は、庇２０の外形となる庇表層部２０ａと、内部に埋設された四角筒状の庇芯材２６とを備える略矩形状の平板部材である。庇表層部２０ａは硬質の発泡ウレタン等からなり、射出成型や吹付け工法等により形成する。庇芯材２６はアルミ等からなり、押出成形により形成する。庇芯材２６は、庇２０の張出し方向に並んで複数本（本実施形態では３本）平行に配置され、射出成型や吹付け工法等で庇表層部２０ａを形成する際に埋設される。これにより、庇２０の撓みに対する剛性が確保できる。また、庇表層部２０ａが本実施形態のように発泡ウレタン等の脆い材質からなる場合には、後述する庇金具４２を庇表層部２０ａに直接固定することは困難である。しかし、庇表層部２０ａを介して、庇芯材２６に庇金具４２をタッピングねじ等で固定することにより、庇２０に庇金具４２を強固に固定できる。
また、後述するように、庇２０の外壁７０側の面には庇凹部２２が形成されている。庇凹部２２は、庇２０の庇表層部２０ａを射出成型や吹付け工法等で形成する際に同時に形成される。
【００１７】
図３は図１のＢ−Ｂ線における断面図である。
本実施形態の袖壁付庇１０は、図３に示すように、外壁７０における窓枠１０の側方に配置され外壁７０から外方向に張出す袖壁３０を備えている。
袖壁３０は、前述の庇２０と同様の構造を備えた略矩形状の平板部材であって、外形となる袖壁表層部３０ａと、内部に埋設された四角筒状の袖壁芯材３６とを備えている。袖壁表層部３０ａは、前述の庇表層部２０ａと同一の材質および製法で形成される。袖壁芯材３６は、前述の庇芯材２６と同一の材質および製法で形成される。これにより、袖壁３０の撓みに対する剛性が確保できる。また、袖壁表層部３０ａを介して、袖壁芯材３６に後述する第２係合金具５２および袖壁金具５４をタッピングねじ等で固定することにより、袖壁３０に第２係合金具５２および袖壁金具５４を強固に固定できる。
なお、庇２０と同様、後述するように外壁７０側の面には袖壁凹部３２が形成されている。袖壁凹部３２は、庇凹部２２と同様に、袖壁３０の袖壁表層部３０ａを射出成型や吹付け工法等で形成する際に同時に形成される。
【００１８】
本実施形態の袖壁付庇１０は、図２に示すように、庇２０を外壁７０に固定する庇固定手段４０を備えている。具体的には、庇固定手段４０は、窓枠７２の上方において外壁７０に固定された庇外壁金具４４と、庇２０の外壁７０側に固定され庇外壁金具４４に接続される庇金具４２と、を備えている。
図４は庇外壁金具４４が外壁７０に固定された状態の説明図であり、図４（ａ）は正面図であり、図４（ｂ）は図４（ａ）のＣ−Ｃ線における断面図である。
庇外壁金具４４は、鉄やステンレス等からなる断面形状が略Ｕ字状の板部材であり、プレス加工で形成する。
図４に示すように、庇外壁金具４４は、上下方向に離間配置された庇外壁金具第１接続部４４ａおよび庇外壁金具第２接続部４４ｂを備えている。庇外壁金具第１接続部４４ａおよび庇外壁金具第２接続部４４ｂは、プレス加工で庇外壁金具４４の外形を形成する際に同時に形成される。
庇外壁金具４４は、窓枠７２の上方の外壁７０に複数本（本実施形態では６本）のタッピングねじ４６により固定される。なお、外壁表層部７０ａはモルタル等の脆い部材である。そのため、外壁７０の内部に木材や金属等の支持部材７４を配置し、外壁表層部７０ａを介して、支持部材７４に庇外壁金具４４をタッピングねじ４６で固定する。これにより、外壁７０に庇外壁金具４４を強固に固定できる。
なお、本実施形態ではレール状の庇外壁金具４４を１個設置したので、取り付け工数を低減することができる。これに対して、例えば、後述する庇金具と略同一の幅に庇外壁金具４４を形成し、庇金具と同数個の庇外壁金具４４を庇金具と略同一の間隔で配置することにより、庇金具と庇外壁金具４４とを接続してもよい。これにより、庇外壁金具４４の部品費を抑えることができる。
【００１９】
図５は、庇金具４２が庇２０に固定された状態の説明図であり、図５（ａ）は背面図であり、図５（ｂ）は図５（ａ）のＤ−Ｄ線における断面図である。
庇金具４２は、鉄やステンレス等からなる断面形状が略Ｕ字状の板部材であり、プレス加工で形成する。図５（ｂ）に示すように、庇外壁金具４４と同様、庇金具第１接続部４２ａおよび庇金具第２接続部４２ｂを備えており、庇金具第１接続部４２ａおよび庇金具第２接続部４２ｂは、プレス加工で庇金具４２の外形を形成する際に同時に形成される。
庇金具４２は、後述する庇凹部２２の底面２５にタッピングねじ４８により固定される。このとき、庇凹部２２の上面２３と庇金具第１接続部４２ａとが接するように庇金具４２を固定する。なお、前述のとおり、庇表層部２０ａを介して、庇芯材２６に庇金具４２をタッピングねじ等で固定することにより、庇２０に庇金具４２を強固に固定できる。
【００２０】
本実施形態の袖壁付庇１０は、図３に示すように、袖壁３０を外壁７０に固定する袖壁固定手段５０を備えている。袖壁固定手段５０は、窓枠７２の側方の下方において外壁７０に固定された第１係合金具５１と、袖壁３０の外壁７０側の下方に固定された、第１係合金具５１と係合される第２係合金具５２と、袖壁３０の外壁７０と接する面に沿って袖壁３０から上方に延設され、外壁７０に固定される袖壁金具５４とを備えている。
図６は第１係合金具５１および第２係合金具５２の説明図であり、図６（ａ）は第２係合金具５２が袖壁３０に固定された状態の袖壁３０の背面図であり、図６（ｂ）は図６（ａ）のＥ−Ｅ線における断面図である。
第１係合金具５１として、図６（ｂ）に示すように、例えばタッピングねじ自体が用いられる。第１係合金具５１の頭部５１ａを外壁７０の表面から離間した状態で第１係合金具５１を配置する。なお、前述のとおり外壁７０の内部には支持部材７４を配置しており、外壁表層部７０ａを介して、支持部材７４に第１係合金具５１を固定することにより、外壁７０に第１係合金具５１を強固に固定できる。
【００２１】
第２係合金具５２は、図６（ｂ）に示すように、鉄やステンレス等からなる板状部材であり、プレス加工で形成する。
第２係合金具５２は、上下に配置された取付部５２ｂと、上下に配置された取付部５２ｂ，５２ｂの間において袖壁凹部３２の底面から離間して配置された係合部５２ｃと、係合部５２ｃの水平方向中央部において上下方向に沿って形成された挿入溝５２ａと、を有する。第２係合金具５２の取付部５２ｂは、後述する袖壁凹部３２の底面にタッピングねじ等により固定される。なお、袖壁表層部３０ａを介して、袖壁芯材３６に第２係合金具５２をタッピングねじ等で固定することにより、袖壁３０に第２係合金具５２を強固に固定できる。
挿入溝５２ａの上部から中央部にかけての幅は、第１係合金具５１のねじ部５１ｂの直径と略同一か若干広い寸法に設定されている。また、挿入溝５２ａの下端部の幅は、第１係合金具５１の頭部５１ａの直径よりも若干広い寸法に設定されている。これにより、第１係合金具５１の頭部５１ａを第２係合金具５２の挿入溝５２ａの下端部から挿入することができる。したがって、第１係合金具５１と第２係合金具５２とを強固に係合できる。
また、係合部５２ｃの下部から上部にかけて、係合部５２ｃと袖壁凹部３２の底面との間隔が徐々に狭くなるように設定される。これにより、第１係合金具５１を挿入溝５２ａの下端部に挿入後、第１係合金具５１が挿入溝５２ａの上方に移動するにしたがって、徐々に外壁７０と袖壁３０とが近づくことになる。したがって、外壁７０と袖壁３０とを密着させつつ第１係合金具５１と第２係合金具５２とを強固に係合できる。
【００２２】
袖壁金具５４は、鉄やステンレス等からなる略矩形状の平板部材でありプレス成形によって形成する。図３に示すように、袖壁金具５４の上半部は、袖壁３０の外壁側の面の上部から上方に延設される。なお、前述のとおり外壁７０の内部には支持部材７４を配置しており、外壁表層部７０ａを介してタッピングねじ等を用いて支持部材７４に袖壁金具５４の上半部を固定する。また、袖壁金具５４の下半部は、袖壁３０の外壁７０側の面の上部に外壁７０側の面と略面一になるように配置され、袖壁３０にタッピングねじ等で固定する。また、袖壁金具５４の幅は袖壁３０の左右方向の幅と略同一かそれよりも狭い寸法に設定される。なお、前述の第１係合金具５１と同様に、外壁表層部７０ａを介して、支持部材７４に袖壁金具５４を複数本（本実施形態では２本）のタッピングねじで固定する。
【００２３】
本実施形態の袖壁付庇１０は、図２に示すように、庇２０の外壁７０側の面に形成された庇凹部２２を備えている。
庇凹部２２は、図５に示すように、庇２０の外壁側の面と下面との角部を凹ませつつ、上面２３と側面２４を残すことにより形成される。庇２０の上面２３と側面２４を残すことにより、雨水が庇凹部２２に浸入するのを防止することができる。
庇２０の外形を射出成型や吹付け工法等で形成する際に、庇凹部２２を同時に形成する。本実施形態では、第１庇凹部２２ａ、第２庇凹部２２ｂおよび第３庇凹部２２ｃの３個の庇凹部２２を設けており、長手方向中央に第２庇凹部２２ｂが配置され、第２庇凹部２２ｂの両端に第１庇凹部２２ａと第３庇凹部２２とが配置されている。なお、第２庇凹部２２ｂの側壁２４を廃止して庇凹部を１個とすることもできる。
庇凹部２２は、接続された庇金具４２および庇外壁金具４４を収容しうる大きさに形成されている。すなわち、庇凹部２２の上下方向の寸法は庇金具第１接続部４２ａと庇金具第２接続部４２ｂとの上下方向の距離よりも若干長い寸法で形成されている。また、庇凹部２２の庇張出し方向の寸法は、庇金具第１接続部４２ａおよび庇金具第２接続部４２ｂの庇張出し方向の高さ寸法と略同一か若干長い寸法で形成されている。これにより、庇金具４２および庇外壁金具４４は庇凹部２２の内側に配置されるので、庇金具４２および庇外壁金具４４は外壁表面に露出しない。したがって、外壁７０の美観を損ねることがなく、袖壁付庇１０を取り付けた後に外壁７０の表面仕上げが不要となる。
また、図３に示すように、庇２０を外壁７０に取り付けた際、第１庇凹部２２ａまたは第３庇凹部（本実施形態では第１庇凹部２２ａ）と袖壁３０との間には、前述の袖壁金具５４が配置される。ここで、第１庇凹部２２ａおよび第３庇凹部の左右方向の幅寸法は袖壁金具の幅寸法よりも広い幅寸法で設定される。これにより、袖壁金具５４は、第１庇凹部２２ａまたは第３庇凹部の内側に配置されるので、袖壁金具５４は外壁７０表面に露出しない。したがって、外壁７０の美観を損ねることがなく、袖壁付庇１０を取り付けた後に外壁７０の表面仕上げが不要となる。
【００２４】
本実施形態の袖壁付庇１０は、図３に示すように、袖壁３０の外壁７０側の面に形成された袖壁凹部３２を備えている。袖壁凹部３２は、図６に示すように、袖壁３０の外壁側の面における下側の一部を凹ませることにより形成される。袖壁凹部３２は、袖壁３０の袖壁表層部３０ａを射出成型や吹付け工法等で形成する際に、同時に袖壁凹部３２を形成する。
袖壁凹部３２は、接続された第１係合金具５１および第２係合金具５２を収容しうる大きさに形成されている。本実施形態では、袖壁凹部３２の上下方向および左右方向の寸法は、第２係合金具５２の上下方向および左右方向の幅よりも大きく形成されている。また、袖壁凹部３２の深さは、第２係合金具５２を袖壁凹部３２の底面に取り付けたときに、係合部５２ｃが袖壁３０の外壁側の面から突出しないように設定される。そして、袖壁凹部３２の底面と係合部５２ｃとの間には、第１係合金具５１の頭部５１ａが収まる隙間が設けられている。これにより、第１係合金具５１および第２係合金具５２は、袖壁凹部３２の内側に配置されるので、第１係合金具５１および第２係合金具５２は外壁７０表面に露出しない。したがって、外壁７０の美観を損ねることがなく、袖壁付庇１０を取り付けた後に外壁７０の表面仕上げが不要となる。
【００２５】
図７は規制手段の説明図であり、図７（ａ）は孔部と突起部による規制手段の説明図であり、図７（ｂ）は係合金具による規制手段の説明図である。
本実施形態の袖壁付庇１０は、図７に示すように、庇２０と袖壁３０との当接面における張出し方向の先端側に、庇２０と袖壁３０との相対移動を規制する規制手段を備えている。
例えば図７（ａ）に示すように、庇２０と袖壁３０との当接面における張出し方向の先端側において、庇２０には孔部２９を形成し、袖壁３０には突起部３９を形成する。そして、孔部２９と突起部３９とを嵌合することにより、庇２０と袖壁３０とが当接面と平行方向に相対移動するのを規制することができる。これにより、風等の影響により袖壁３０に当接面と平行方向に荷重がかかっても、袖壁固定手段に荷重が集中するのを回避し、庇固定手段および袖壁固定手段の両方に荷重を分散することができる。したがって、当接面の平行方向における風等のあおりに対する強度を効果的に確保できる。また、孔部２９は庇２０と一体成型され、突起部３９は袖壁３０と一体成型されるので庇２０と袖壁３０とを係合する金具を必要としない。これにより、部品費を抑えた低コストな袖壁付庇１０を提供することができる。
【００２６】
また、図７（ｂ）に示すように、庇２０に第３係合金具を設け、袖壁３０に第４係合金具を設けて、両係合金具を係合させることにより、庇２０と袖壁３０とが当接面と平行方向に相対移動するのを規制するとともに、庇２０と袖壁３０とが当接面と垂直方向に相対移動するのを規制する手段がある。第３係合金具および第４係合金具として市販の係合金具を用いてもよいし、前述の第１係合金具および第２係合金具のうちいずれか一方を第３係合金具として使用し、第１係合金具および第２係合金具のうちいずれか他方を第４係合金具として使用してもよい。これにより、市販品の流用または袖壁付庇１０の部品の共用化ができるので、低コストな袖壁付庇１０を提供することができる。なお、図７（ｂ）では、第２係合金具５２を第３係合金具として庇２０側に取り付けて使用し、第１係合金具５１を第４係合金具として袖壁３０側に取り付けて使用している。また、上記のように係合金具を使用することにより、庇２０と袖壁３０とが当接面と平行方向に相対移動するのを規制するとともに、庇２０と袖壁３０とが当接面と垂直方向に相対移動するのを規制する。これにより、風等の影響によって庇２０および袖壁３０のいずれか一方に大きなが荷重がかかった場合でも、庇固定手段および袖壁固定手段のいずれか一方に荷重が集中するのを回避し、庇固定手段および袖壁固定手段の両方に荷重を分散することができる。したがって、風等のあおりに対する強度を効果的に確保できる。
【００２７】
本実施形態の袖壁付庇１０において、図２および図３に示すように、庇固定手段４０および袖壁固定手段５０は、庇凹部２２および袖壁凹部３２のうち少なくとも一方の内側に配置されている。
本実施形態によれば、庇金具４２および庇外壁金具４４は、庇凹部２２の内側に配置され、第１係合金具５１および第２係合金具５２は、袖壁凹部３２の内側に配置され、袖壁金具５４は、庇凹部２２の内側に配置されている。これにより、庇固定手段および袖壁固定手段は外壁７０表面に露出しないので、外壁７０の美観を損ねることがなく、袖壁付庇１０を取り付けた後に外壁７０の表面仕上げが不要となる。
【００２８】
（袖壁付庇の設置方法）
次に、袖壁付庇の設置方法について、図面を参照して説明する。なお、第１実施形態の袖壁付庇と同様の構成となる部分については、詳細な説明を省略する。
図８は袖壁付庇の設置方法のフローチャートである。
図８に示すように、本実施形態の袖壁付庇の設置方法は、窓枠の上方において外壁に庇外壁金具を固定し、窓枠の側方の下方において外壁に第１係合金具を固定する外壁金具取付工程（Ｓ１０）と、袖壁を外壁における窓枠の側方に配置する袖壁配置工程（Ｓ２０）と、庇を外壁における窓枠の上方に配置する庇配置工程（Ｓ３０）と、を備えている。
【００２９】
最初に、窓枠の上方において外壁に庇外壁金具を固定し、窓枠の側方の下方において外壁に第１係合金具を固定する外壁金具取付工程（Ｓ１０）を行う。
図９は外壁金具取付工程（Ｓ１０）の工程図である。図９に示すように、窓枠７２の上方において外壁７０に庇外壁金具４４を固定する。具体的には、庇外壁金具４４の位置を決めつつ、タッピングねじ４６を複数本（本実施形態では６本）用いて固定する。また、第１係合金具５１を窓枠７２の側方の下方において外壁７０に固定する。本実施形態では、第１係合金具５１であるタッピングねじを所定の位置に固定する。このとき、タッピングねじの頭部を外壁７０の表面から離間した状態で配置する。
【００３０】
次に、袖壁を外壁における窓枠の側方に配置する袖壁配置工程（Ｓ２０）を行う。袖壁配置工程（Ｓ２０）は、袖壁凹部の内側に配置された第２係合金具と前記第１係合金具とを係合して、第１係合金具を袖壁凹部の内側に配置する袖壁係合工程（Ｓ２１）と、袖壁金具を外壁に固定する袖壁固定工程（Ｓ２３）と、を有している。
図１０は袖壁配置工程（Ｓ２０）の工程図である。
図１０に示すように、袖壁配置工程（Ｓ２０）のうち袖壁係合工程（Ｓ２１）では、袖壁凹部３２の内側に配置された第２係合金具５２と第１係合金具５１とを係合する。具体的には、第２係合金具５２の挿入溝の下端部に第１係合金具５１を挿入する。そして、袖壁３０を下降させ、第１係合金具５１を挿入溝の上方に移動させる。前述のとおり、第２係合金具５２の係合部と袖壁凹部３２の底面との隙間が下方から上方にかけて徐々に狭くなるように設定しているので、第１係合金具５１が挿入溝の上方に移動するにしたがって、第１係合金具５１の頭部が袖壁凹部３２の底面に引き寄せられ、徐々に外壁７０と袖壁３０とが近づく。これにより、外壁７０と袖壁３０とを密着させつつ第１係合金具５１と第２係合金具５２とを強固に係合できる。
その後、袖壁固定工程（Ｓ２３）では、袖壁金具５４を外壁７０に固定する。なお、袖壁金具５４の下半部があらかじめ袖壁３０の外壁７０側の面の上方に固定されている。そこで、袖壁３０の外壁側の面の上部から上方に延設されている袖壁金具５４の上半部を、タッピングねじ５８を複数本（本実施形態では２本）用いて外壁７０に固定する。このように、袖壁３０の上方に袖壁金具５４を延設して外壁７０に固定するので、袖壁３０を強固に固定することができる。
【００３１】
最後に、庇を外壁における窓枠の上方に配置する庇配置工程（Ｓ３０）を行う。庇配置工程（Ｓ３０）では、庇凹部の内側に配置された庇金具と庇外壁金具とを接続して、庇外壁金具を前記庇凹部の内側に配置するとともに、前記袖壁金具を前記庇凹部の内側に配置する。
図１１は庇配置工程（Ｓ３０）の工程図である。
庇配置工程（Ｓ３０）では、庇凹部２２の内側に配置された庇金具４２と庇外壁金具４４とを接続して、庇金具４２と庇外壁金具４４とを庇凹部２２の内側に配置する。具体的には、図２に示すように、庇金具第１接続部４２ａと庇外壁金具第１接続部４４ａとを当接し、庇金具第２接続部４２ｂと庇外壁金具第２接続部４４ｂを当接して、庇外壁金具４４を庇凹部２２の内側に配置する。そして、庇金具第１接続部４２ａおよび庇金具第２接続部４２ｂならびに庇外壁金具第１接続部４４ａおよび庇外壁金具第２接続部４４ｂに形成された上下方向を中心軸方向とする貫通孔に、固定用のボルト４９を挿通して、庇金具第１接続部４２ａおよび庇金具第２接続部４２ｂと庇外壁金具第１接続部４４ａおよび庇外壁金具第２接続部４４ｂとを接続する。これにより、庇金具４２と庇外壁金具４４とが上下方向で強固に固定されるので、１箇所のみを固定する場合と比較して、風等のあおりに対する強度を効果的に確保できる。
また、庇外壁金具４４を庇凹部２２の内側に配置するのとともに、図３に示すように、袖壁金具５４を庇凹部２２の内側に配置する。これにより、図２および図３に示すように、庇金具４２、庇外壁金具４４および袖壁金具５４は、庇凹部２２の内側に配置されるので、庇金具４２、庇外壁金具４４および袖壁金具５４は外壁７０表面に露出しない。したがって、外壁７０の美観を損ねることがなく、袖壁付庇１０を取り付けた後に外壁７０の表面仕上げが不要となる。
【００３２】
また、庇配置工程（Ｓ３０）の中で規制手段の嵌合または係合を行う。本実施形態では、図１１に示すように、庇２０と袖壁３０との当接面における張出し方向の先端側に、庇２０には孔部２９を、袖壁３０には突起部３９を規制手段６０として設けている。そこで、前述の庇金具４２と庇外壁金具４４とを接続しつつ、孔部２９と突起部３９を嵌合する。これにより、風等の影響により袖壁３０に当接面と平行方向に荷重がかかっても、袖壁固定手段に荷重が集中するのを回避し、庇固定手段および袖壁固定手段の両方に荷重を分散することができる。したがって、当接面の平行方向における風等のあおりに対する強度を効果的に確保できる。
そして、袖壁付庇を外壁７０に取り付けた後に防水処理を行う。具体的には、袖壁付庇と外壁７０とで形成される隅部に、コーキング材等のシール材を充填する。
【００３３】
本実施形態によれば、袖壁配置工程（Ｓ２０）は、袖壁凹部の内側に配置された第２係合金具と前記第１係合金具とを係合して、第１係合金具を袖壁凹部の内側に配置する袖壁係合工程（Ｓ２１）と、袖壁金具を外壁に固定する袖壁固定工程（Ｓ２３）と、を有し、庇配置工程（Ｓ３０）では、庇凹部の内側に配置された庇金具と庇外壁金具とを接続して、庇外壁金具を前記庇凹部の内側に配置するとともに、袖壁金具を庇凹部の内側に配置する。これにより、庇固定手段および袖壁固定手段は外壁表面に露出しないので、外壁の美観を損ねることがなく、袖壁付庇を取り付けた後に外壁の表面仕上げが不要となる。
ところで、従来のように外壁の表面仕上げを行った場合には、コーキング材や防水シート等の防水機能を確認する際に、表面仕上げ部分を破壊して取付部材を露出させる必要がある。しかし、本実施形態によれば、モルタルや化粧板材等による表面仕上げ部分を破壊せずに外観目視で防水機能の確認ができる。したがって、防水機能の確認および修理作業が容易にできる。
【００３４】
なお、この発明は上述した実施の形態に限られるものではない。
本実施形態の袖壁付庇の袖壁は、上方に袖壁金具を備えて外壁にタッピングねじを用いて固定し、下方には第２係合金具を備えて外壁の窓枠の側方における下方に設けた第１係合金具に係合することにより外壁に取り付けている。しかし、例えば、上方の袖壁金具を廃止して第２係合金具を備え、外壁の窓枠の側方における上方に設けた第１係合金具に係合することにより、第１係合金具と第２係合金具のみを用いて袖壁を簡単に取り付けることができる。ただし、強固に固定できるという点では本実施形態のように、袖壁金具とタッピングねじを用いて固定する場合のほうが優位である。
【符号の説明】
【００３５】
１０・・・袖壁付庇  ２０・・・庇  ２２・・・庇凹部  ３０・・・袖壁  ３２・・・袖壁凹部  ４０・・・庇固定手段  ４２・・・庇金具  ４２ａ・・・庇金具第１接続部  ４２ｂ・・・庇金具第２接続部  ４４・・・庇外壁金具  ４４ａ・・・庇外壁金具第１接続部  ４４ｂ・・・庇外壁金具第２接続部  ５０・・・袖壁固定手段  ５１・・・第１係合金具  ５２・・・第２係合金具  ５４・・・袖壁金具  ６０・・・規制手段  ７０・・・外壁  ７２・・・窓枠
【図１】
2011074576.tif 000003
【図２】
2011074576.tif 000004
【図３】
2011074576.tif 000005
【図４】
2011074576.tif 000006
【図５】
2011074576.tif 000007
【図６】
2011074576.tif 000008
【図７】
2011074576.tif 000009
【図８】
2011074576.tif 000010
【図９】
2011074576.tif 000011
【図１０】
2011074576.tif 000012
【図１１】
2011074576.tif 000013